(57)【特許請求の範囲】
【請求項１】
吸入麻酔からの対象者の覚醒を補助する装置であり、
対象者が息を吐いている間は麻酔薬を除去するためのフィルタを迂回させる手段と、
麻酔薬が対象者によって吸気される前に前記フィルタを介してガスを引き込む手段と、を含む装置。
【請求項２】
請求項１に記載の装置であり、
前記引き込む手段が、周囲濃度以上の濃度の二酸化炭素を含む吸気ガスを前記フィルタを介して引き込む手段を含んでいる装置。
【請求項３】
請求項１に記載の装置であり、
前記迂回させる手段が少なくとも１つの弁を備えている装置。
【請求項４】
請求項１に記載の装置であり、
前記引き込む手段が少なくとも１つの弁を備えている装置。
【請求項５】
対象者を換気する装置であり、
対象者の気道と呼吸器との間の連通を確保する手段であって、
呼吸回路と、該呼吸回路の長さに沿って配置され且つ対象者の気道と麻酔覚醒装置との間の連通を確保するための手段を備えている切換要素と、前記麻酔覚醒装置であって少なくとも対象者によって吸い込まれるべきガスから麻酔薬を除去するためのフィルタを含んでおり且つ前記切換要素によって前記呼吸回路と選択的に連通するようになされている前記麻酔覚醒装置と、
を含む装置、を備えている前記対象者の気道と呼吸器との間の連通を確保する手段と、
麻酔作用からの覚醒を促進することが望ましいときに、前記切換要素によって、呼気ガスを前記麻酔からの覚醒装置を介して導くようにする手段と、
麻酔作用からの覚醒が促進されることが望ましくないときに、前記切換要素によって、呼気ガスが前記麻酔からの覚醒装置の中を流れるのを阻止させる手段と、
を含んでいる装置。
【請求項６】
請求項５に記載の装置であり、
前記切換要素が呼気ガスを前記麻酔覚醒装置の中を導くときに、呼気されたガスが前記フィルタ内を通過するのを阻止する手段と、ガスが吸気される前に前記フィルタの中を通過するようにする手段と、を更に含む装置。
【請求項７】
対象者の吸入麻酔からの覚醒を補助するための装置であり、
対象者によって呼気されたガスから麻酔薬を少なくとも部分的に除去するためのフィルタと、
対象者に吸気させるためのCO2の量を増大させるCO2レベルを上昇させる部材と、
呼気されたガスが前記フィルタを迂回するようにさせ且つ前記CO2のレベルを上昇させる部材内へと流入させ、及び、吸気されたガスを前記CO2レベルを上昇させる部材から引き込み且つ前記フィルタの中を通過させるための選択的な制限器と、
を含んでいる装置。
【請求項８】
請求項７に記載の装置であり、
前記選択的制限器が、迂回導管と、一対の弁とを含み、当該一対の弁のうちの少なくとも１つが前記迂回導管の端部又は当該迂回導管の長さに沿って配置されている装置。
【請求項９】
請求項８に記載の装置であり、
前記少なくとも１つの弁が、当該装置が使用される対象者に最も近い前記迂回導管の端部に配置されている装置。
【請求項１０】
請求項７に記載の装置であり、
前記迂回導管と連通しているマスクを更に含んでいる装置。
【請求項１１】
対象者の吸入麻酔からの覚醒を補助するための装置であり、
対象者によって呼気されたガスから麻酔薬を少なくとも部分的に除去するためのフィルタと、
対象者に吸気させるためのCO2の量を増大させるCO2のレベルを上昇させる部材と、
前記フィルタ及び前記CO2のレベルを上昇させる部材と連通しているマスクと、
を含んでいる装置。
【請求項１２】
呼吸装置であり、
呼吸回路と、
フィルタと、当該フィルタに対して末端側の対象者に対向する側に配置された対象者に吸気させるためのCO2の量を増大させるCO2レベルを上昇させる部材とを備えた麻酔からの覚醒装置と、
前記呼吸回路の長さに沿って又は当該呼吸回路の端部に配置され、前記呼吸回路と前記麻酔からの覚醒装置との間の選択的な連通を補助するための切換要素と、
を含んでいる呼吸装置。
【請求項１３】
請求項１２に記載の呼吸装置であり、
前記切換要素が切換部材を含んでおり、
当該切換部材は、
呼吸ガスを前記呼吸回路に沿って実質的に妨げられない状態で流れさせるが、呼吸ガスの前記麻酔からの覚醒装置内への流れを制限する第一の位置と、
前記呼吸回路に沿った呼吸ガスの流れを制限し且つ呼吸ガスを前記麻酔からの覚醒装置内へ及び当該覚醒装置を通過するように導く第二の位置と、に配置されるような構造とされている、呼吸装置。
【請求項１４】
請求項１２に記載の呼吸装置であり、
前記フィルタが、少なくとも対象者によって吸い込まれるべきガスから麻酔薬を除去するようになされている、呼吸装置。
【請求項１５】
請求項１２に記載の呼吸装置であり、
前記CO2レベルを上昇させる部材が、対象者によって呼気されたガスを受け取る構造とされた再呼吸部材を含んでいる呼吸装置。
【請求項１６】
請求項１２に記載の呼吸装置であり、
前記麻酔からの覚醒装置が選択的な制限器を更に含み、
当該制限器は、
呼気されたガスが前記フィルタを迂回し且つ前記CO2レベルを上昇させる部材内に入るようにさせ、且つ、吸入されるガスが、前記CO2レベルを上昇させる部材から前記フィルタの中を通って引き込まれるようにされている、呼吸装置。
【請求項１７】
請求項１６に記載の呼吸装置であり、
前記選択的な制限器が、迂回導管と一対の弁とを含んでおり、
当該一対の弁のうちの少なくとも１つが、前記迂回導管の端部か又は当該迂回導管の長さに沿って配置されている、呼吸装置。
【請求項１８】
自発的に呼吸する対象者を麻酔状態から更に戻すための装置であり、
対象者の顔の少なくとも一部分を覆うように配置され、当該対象者の気道と連通しているマスクと、
呼気されたガスのうちの少なくとも幾らかを前記マスクと連通している再呼吸部材内へと導く手段と、
対象者が吸い込むときに、ガスを、麻酔薬除去フィルタを介して前記再呼吸部材内へ且つ対象者の気道内へ引き込む手段と、を含む装置。
【請求項１９】
請求項１８に記載の装置であり、
前記呼気されたガスが前記麻酔薬除去フィルタ内を通過するのを阻止する手段を更に含んでいる装置。
【発明の詳細な説明】
【発明の分野】
【０００１】
本発明は、概して、吸入全身麻酔の作用から元に戻らせるために、相互に結合された換気及び再呼吸する装置並びに任意的には監視装置の使用方法に関する。
【背景技術】
【０００２】
全身麻酔は、外科処置が行われつつあるときに、対象者に管理投与されることが多い。典型的には、全身麻酔を受けている対象者は、呼吸回路を介して呼吸器に“据え付け”られる。対象者の呼吸、麻酔薬並びに恐らくは対象者の血液ガス及び血液の流れの監視を容易化するために、１以上のセンサーが呼吸回路に接続される。１以上の麻酔薬が、典型的には、呼吸回路を介して対象者に管理投与される。
【０００３】
麻酔薬が患者に管理投与されている間に使用される呼吸回路の例としては、当該技術において“循環装置”と称される円形の呼吸回路及びここでは簡単のためにベイン（Ｂａｉｎ）型装置と称されるＭａｐｌｅｓｏｎ又はＢａｉｎ型の呼吸回路がある。
【０００４】
循環装置は、典型的には、大人の患者に対して使用される。循環装置の呼吸回路の呼気リム及び吸気リムは互いに連絡しており、ソーダ石灰の缶のような二酸化炭素除去装置がそれらの間に設けられている。呼気リム及び吸気リムは互いに連絡しているので、循環装置は、典型的には、ちょうど時間切れとなったＣＯ２富化ガスが患者に再呼吸されるのを阻止するための一方向弁の１以上の組を含んでいる。
【０００５】
ベイン型装置は、典型的には、比較的身体の小さい患者（例えば、子供）に使用される。ベイン型装置は、その中を吸気ガス及び呼気ガスの両方が流れる直線状のチューブを含んでいる。新鮮な気体は、典型的には、患者がそれらを再呼吸し得る前にちょうど時間切れとなったガスを除去するために患者との境界面に向けて導かれる。新鮮な気体の流れが患者の換気の流れよりも多い限り、再呼吸は殆ど又は全く起こらない。
【０００６】
全身麻酔薬が対象者に管理投与されるときに、呼吸又は吸入麻酔薬は、典型的には、使用される麻酔薬のタイプに応じて約１％〜約６％の濃度まで希釈された低濃度で患者に供給される。対象者が全身麻酔薬を吸入するとき、この麻酔薬は、肺に運ばれ、肺において血流内に入り且つ血液によって種々の他の体組織へと運ばれる。ひとたび麻酔薬の濃度が対象者の身体の大きさ及び体重を含む種々の対象者特有のファクタに依存する脳内の十分なレベル又は閾値レベルに達すると、対象者は麻酔状態となる。対象者は、対象者の脳内の麻酔薬の濃度が閾値レベルより高い状態である限り、対象者は麻酔状態のままである。
【０００７】
ひとたび全身麻酔が付与される処置典型的には外科手術が完了すると、出来るだけ速やかに全身麻酔作用から元に戻らせることが一般的に望ましい。全身麻酔作用からの覚醒は、外科チームが手術室を立ち退いて次の外科手術のために使える状態にし、恐らくは外科手術の費用を安くし、麻酔手が他の患者に専念することをも可能にし、使用されている典型的には高価な麻酔薬を節約して使う。更に、安全性の理由から、対象者が一般的な麻酔下にある時間を最短化するのが望ましい。麻酔から迅速に元に戻らせる他の利点は、外科手術に続いてすぐに大人の患者のためのより良い認知機能及び患者自身の気道をより迅速に保護することを可能にすることである。
【０００８】
一般的な麻酔状態からの覚醒又は麻酔の中止は、脳内の麻酔薬のレベルが閾値レベル以下まで低下するか又は麻酔薬が対象者の脳から除去されることを必要とする。
気体状の麻酔薬を選択的に吸着するために活性炭及びその他の物質を使用することができることは長い間知られて来ている。従って、活性炭は、Ｐｓａｒｏｓらに付与された米国特許第５，４７１，９７９号に記載されているように、麻酔薬が呼吸回路から逃げて手術室内へ入るのを防止するもののような吸着剤において便利な用途があることがわかっている。この点において、活性炭吸着剤は、典型的には、麻酔薬供給装置の排出の流れ内に配置される。これによって、手術室内への排出麻酔ガスの潜在的に有害な作用は避けられる。更に、ほとんどのハロゲン化炭素麻酔薬は大気汚染物質であると考えられるので、一般的な麻酔薬吸着剤である木炭又はその他の吸着剤は、ガス状麻酔薬が環境内へ放出される場合に惹き起こされるかも知れない汚染を防止する。
【０００９】
Ｗａｓｔｅｎｓｋｏｗら（以下、“Ｗｅｓｔｅｎｓｋｏｗ”と称する）に付与された米国特許第５，０９４，２３５号は、呼吸回路からのガス状麻酔薬の除去を促進するために活性炭を使用することを記載している。このような技術は、既に吐出された麻酔薬の再吸入を防止するために有用であるけれども、対象者の脳から麻酔薬が除去される速度を早めるためにより多くのことを行うことができた。
【００１０】
典型的には、血液が脳内を流れる速度並びに対象者の呼吸速度及び呼吸体積は、種々のレベルの麻酔薬が対象者の脳から除去される速度を決定する主要なファクタである。血液は脳から肺へと麻酔薬を運び出すので、脳内の血液の流れの速度は一つの決定ファクタである。呼吸速度及び呼吸体積は、麻酔薬が血液から除去され且つ肺を介して身体から運び出される速度を増すので重要である。
【００１１】
過呼吸は、対象者の呼吸体積及び／又は呼吸速度を増して、対象者の肺からの麻酔薬の除去を容易化するために使用されて来た。しかしながら、過呼吸は、典型的には、対象者の血液中の二酸化炭素（ＣＯ２）の低いレベルを生じる（PaCO2）。PaCO２のレベルが低下すると、脳は、肺自体に呼吸信号を送ることが少なくなり、人工呼吸器からの換気に依存したままでとなる（Ｐａｅｍｅｒに付与された米国特許第５，３２０，０９３号（以下、“Ｒａｅｍｅｒ”と称する）を参照）。更に、過呼吸から生じる低いPaCO2レベルは、脳内を血液が流れる速度の対応する低下をもたらし、これは、実際には、血液が脳から麻酔薬を運び出す速度を減じる。
【００１２】
対象者が既に吹き出されたCO2富化空気を“再呼吸”する再呼吸プロセスは、このような過呼吸中にPaCO2レベルの著しい低下を防止するために使用されている。しかしながら、このようなプロセスを行うために便宜的に使用されて来た装置は、患者が吸入された空気を再呼吸する前に吸入された空気から麻酔薬を濾過しない。結局、患者は既に吸入された麻酔薬をまた再呼吸し、これは、全身麻酔から元に戻らせるプロセスを実際上長引かせる。
【００１３】
Ｐａｅｍｅｒに記載されているコンピュータ化された装置は、過呼吸及び再呼吸によって生じる欠点を解決するように設計されている。Ｒａｅｍｅｒの装置は、全身麻酔からの覚醒速度、従って、全身麻酔からの患者の回復の速度を速くするために元に戻されつつあるときに、外部供給源から、呼吸回路内へ従って対象者の肺内へCO2を吹き込む（すなわち、CO2が対象者によって再呼吸されない）。外部供給源からのCO2の注入に関するＲａｅｍｅｒの教示は、対象者の脳による自発的な呼吸を出来る限り早期に再開するのを容易にするレベルまで対象者のPaCO2を増大させつつ対象者の脳内への麻酔薬の再導入を避けることに限定されている。Ｒａｅｍｅｒにおいて教示されている技術及び装置は、対象者の呼吸速度又は呼吸体積を増すことを含まないので、これらは、対象者が麻酔から回復する速度を加速しない。
【００１４】
従って、脳内の麻酔薬のレベルを元に戻らせて、麻酔作用を元に戻すのに必要な時間を最短にするために、血液が脳から麻酔薬を搬送する速度を増すと共に、肺が人体から麻酔薬を押し出す速度を増す方法及び装置の必要性がある。
【発明の開示】
【００１５】
本発明は、対象者が全身麻酔から回復する速度すなわち麻酔作用から元に戻らせる速度を加速するための方法及び装置を含んでいる。これらの方法及び装置は、対象者の脳内を血液が流れる速度を維持し又は増し、対象者の呼吸速度及び呼吸体積を増し、対象者が既に吸入した麻酔薬を再度吸入するのを阻止する。
【００１６】
本発明による方法は、高い割合のCO2を含んでいるガスを対象者に周期的に呼吸させつつ、対象者がガスを吸入する速度又は対象者によって吸い込まれるガスの体積を増加させることを含んでいる。これは、対象者が既に吸入したガスの少なくとも幾らかを再呼吸させることにより又はさもなければ対象者によって吸い込まれるべきであるガス内のCO2の量を増すことによって行うことができる。この再呼吸されたガスは、濾過されて、既に吸入された麻酔薬の幾らかを当該ガスから少なくとも部分的に除去する。吸入されたガスが再呼吸される前に吸入されたガスからほぼ全ての麻酔薬が除去されるのが現在のところ好ましい。
【００１７】
本発明の教示を組み入れている装置は、対象者の血液内のCO2レベルを維持しつつ、迅速な（すなわち、通常以上の）速さで対象者による呼吸を促進し、それによって、血液が対象者の脳へ及び脳内を流れる速度を少なくとも維持する構造とされている。このような装置は、対象者によって呼気されたガスから麻酔薬を選択的に除去するフィルタを含むと共に、対象者によって吸入されたCO2のレベルを増すような構造とされている本明細書において“再呼吸要素”と称される対象者による部分的再呼吸を行うような構造とされた部品又は別の構成部品をも含んでいる。当該装置の呼吸又はその他のCO2レベルを上げる部品は、対象者の換気速度を増大させ、一方、対象者の血液内のCO2レベル（すなわち、PaCO2）は、通常の状態又は高い状態に維持される。再呼吸又はその他のCO2レベル上昇要素は更に、CO2の高レベル又は通常レベルを維持しつつ、大きな体積又は速度で患者が換気されるのを可能にする。
【００１８】
本発明のこの他の特徴及び利点は、詳細な説明、添付図面及び特許請求の範囲を考慮することによって、当業者に明らかとなるであろう。
【好ましい実施形態の説明】
【００１９】
図１を参照すると、本発明による麻酔からの覚醒装置１０は、対象者とＹ型コネクタ６０との間で呼吸回路５０の一部分に沿って配置されており、フィルタ２０と、再呼吸部材３０とを含んでいる。吸気リム５２と呼気リム５４とは、Ｙ型コネクタ従って呼吸回路５０に結合することができる。顕著なことに、幾つかの呼吸回路の吸気リム及び呼気リムは同軸である。それにもかかわらず、このような呼吸回路の吸気ホースと呼気ホースとの間の結合は、やはり“Ｙ型コネクタ”と称される。
【００２０】
図示されているように、フィルタ２０は、マスク又はマウスピースを介して呼吸するときに、挿管された患者のための気管内挿入管の近く又は対象者Ｉの口及び／又は鼻を覆うように配置されて、吸入された麻酔薬を、覚醒装置１０の残りの部分内へ流れ込む前に除去する。吸入された麻酔薬が除去されずに前記覚醒装置１０の残りの部分に流れ込むと、当該麻酔薬は、覚醒装置１０の表面によって吸着され且つ対象者によって引き続いて吸い込まれるかも知れない。もちろん、フィルタ２０を麻酔からの覚醒装置１０の代替的な位置の配置することもまた、当該フィルタ２０が対象者Ｉと呼吸構成部品３０との間に配置される限り本発明の範囲内である。
【００２１】
フィルタ２０は、図示された例においては、フィルタ２０の両側に設けられている対象者Ｉに関する基端ポート２４と末端ポート２６とを備えたハウジング２２を含んでいても良い。更に、麻酔フィルタ部材２８は、基端ポート２４と末端ポート２６との両方と連通した状態でハウジング２２内に含まれている。
【００２２】
基端ポート２４及び末端ポート２６は、両方とも、標準的な呼吸回路取り付け部品に結合できる構造とすることができる。例えば、基端ポート２４と末端ポート２６とは、標準的な１５ｍｍ又は２２ｍｍの呼吸器取り付け部品に結合できる構造とすることができる。従って、ひとたび全身麻酔又はその他の吸入麻酔からの覚醒が望まして場合には、フィルタ２０は、対象者Ｉの気道（すなわち、口又は鼻、気管及び肺）と既に連通している呼吸回路５０に沿って配置することができる。
【００２３】
麻酔フィルタ部材２８は、１以上のタイプの麻酔薬を選択的に吸着するための公知の如何なるタイプのフィルタを含んでいても良い。本発明の範囲を限定する訳ではないが、例えば、麻酔フィルタ部材２８は、活性炭若しくは活性炭素、フィルタ、結晶シリカのモレキュラーシーブ、液体ベースの吸着剤（例えば、Ｌｏｕｇｈｌｉｎらに付与された米国特許第４，８７８，３８８号の教示に従って作動する）、コンデンサ型のフィルタ又は対象者Ｉによって吸入されたガスからの麻酔薬蒸気を捕獲し若しくはさもなければ除去する如何なるタイプの濾過機構を含んでいても良い。フィルタ部材２８が、活性炭又は結晶シリカのような粒状物質を含んでいる場合には、当該粒状物質は、多孔質部材、スクリーン等に含まれていても良い。
【００２４】
麻酔薬フィルタ部材２８は基端ポート２４及び末端ポート２６の両方と連通しているので、当該フィルタ部材は、対象者Ｉによって吸い込まれるガスからだけでなく対象者Ｉによって吐き出されるガスから麻酔薬を除去するであろう。
【００２５】
任意的には、フィルタ２０はまた、３Ｍ  ＦＩＬＴＲＥＴＥ（登録商標）濾過媒体又はその他の静電的ポリプロピレン系繊維ベースの濾過媒体のような当該技術において公知のタイプの抗菌性フィルタ部材２９をも含んでいても良い。麻酔薬フィルタ部材２８と同様に、抗菌性フィルタ部材２９は、（例えば、フィルタ２０の基端ポート２４と末端ポート２６とによって）呼吸回路５０と連通している。従って、抗菌性フィルタ部材２９は、対象者Ｉによって吸い込まれるか吐き出されるガスのほぼ全てを受け取り、これらのガスからバクテリア、ウィルス又はその他の病原菌を除去するように配置することができる。もちろん、フィルタ２０と別個の抗菌性フィルタを含んでいる麻酔からの覚醒装置もまた本発明の範囲内に含まれる。
【００２６】
もう一つ別の選択肢として、本発明の教示を組み入れている装置は、ガスがフィルタ２０内を流れる方向を選択的に制限する構造とすることができる。これは、吐き出されたガスをフィルタ２０の中を通るように導くことによって、麻酔フィルタ部材２８の対象者側（すなわち、麻酔薬フィルタ２８における、フィルタ２０の基端ポート２４に最も近接して配置されている側）での麻酔薬の高い濃度をもたらすので、望ましい。麻酔薬フィルタ部材２８の対象者側での高い麻酔薬濃度は、次いで、対象者Ｉによって吸い込まれるガス内への麻酔薬の再導入をももたらすかも知れない。
【００２７】
図１Ａに示されている選択的な流量制限器１００の例示的な実施形態は、迂回導管１０１と、少なくとも２つの一方向弁１０２及び１０３（例えば、公知の構造のフラップ弁）とを含んでいる。迂回導管１０１は、フィルタ２０と平行に配置されている。弁１０２は、迂回導管１０１の端部又は当該迂回導管１０１に沿って配置されており且つ対象者Ｉが吐き出したときに開き、吸い込んだときに閉じるように配向されている。弁１０３は、フィルタ２０に隣接して配置されており、対象者Ｉが吐き出したときに閉じ、吸い込んだときに開くように配向されている。図示されているように、弁１０３は、フィルタ２０の末端ポート２６に隣接して配置されているが、フィルタ２０と対象者Ｉとの間に配置されても良い。もちろん、同じ機能を果たす選択的な流量制限器の他の形態もまた、本発明の範囲内に含まれる。
【００２８】
弁１０２と１０３とは、強調して、フィルタ２０内のガスの流れを制御するように作動する。対象者Ｉが吐き出すと、正圧によって弁１０３が閉じ、弁１０２が開く。弁１０３の閉止によって、フィルタ２０に隣接した位置での制限がもたらされ、これは、吐き出されたガスの大部分をフィルタ２０を迂回させて迂回導管１０１内へと通過させ、麻酔薬フィルタ部材２８の（対象者Ｉに対して）基端側に麻酔薬が集まるのを防止する。これと逆に、対象者Ｉが吸い込むと、負圧によって弁１０２が引き込まれて閉じ、これによって、吸い込まれたガスが迂回導管１０１内を通過するのが阻止される。その代わりに、吸い込まれたガスは、フィルタ２０内を通らなければならず、フィルタ２０において、ガス内の麻酔薬が、対象者Ｉがガスを吸い込む前に、麻酔薬フィルタ部材２８によって除去される。機械的な換気中においては、吸い込まれたガスは装置内を通って患者内へ付勢され、従って、弁１０２上には負圧が存在しない。そうでない場合には、吸気中に弁１０２を閉じ且つ弁１０３を開く圧力差が存在する。
【００２９】
図１Ｂは、本発明による麻酔からの覚醒装置内に任意に含まれても良く且つ呼吸回路５０に沿って配置され且つ本明細書においては“切換部材”とも称される迂回切換部材１０５を図示している。迂回切換部材１０５は、第一の作動位置に配置されると、ガスがフィルタ２０内を流れるのを許容し且つ任意的には麻酔からの覚醒が望ましいときに再呼吸部材３０（図１）内へ流れるのを許容する。例えば、手術中又は麻酔薬の引き込み後であるが対象者が機械的に換気されている間のように、麻酔からの覚醒又は麻酔からの覚醒装置の使用が望ましくないときには、切換部材１０５は、第二の作動位置に配置することができ、この第二の作動位置においては、呼吸ガスはフィルタ２０を迂回し且つ任意的に再呼吸部材３０を迂回する。
【００３０】
再び図１を参照すると、フィルタ２０及び再呼吸部材３０は、相互に直接連通している。以下において更に詳細に示されるように、再呼吸部材３０は、実際には、フィルタ２０とは別ではなくフィルタ２０の一部分であっても良い。
【００３１】
再呼吸部材３０は、対象者Ｉの血液（すなわち、PaCO2）内のCO2の特別なレベルを維持する体積又はある量のデッドスペースを提供する構造とされている。図示されている例においては、再呼吸部材３０は、対象者Ｉによって再呼吸されるはずである既に吸入されたガスを含むためのデッドスペースの量を増すために拡張し又は減らすために圧縮することができる拡張可能なチューブ部分３２を含んでいる導管３１を含んでいる。もちろん、Ｏｒｒらに付与された米国特許第６，２２７，１９６号に記載されているもの（気管ガス注入装置を除く）のうちの一つのような他のタイプの再呼吸装置又はその他のあらゆる公知のタイプの部分的再呼吸装置を、再呼吸部材３０として麻酔からの覚醒装置１０内で使用することができる。
【００３２】
呼吸流量センサー又はそのためのガスサンプリングポート４０ａのような別の部材又は当該技術において知られているカプノメーター若しくはガスサンプリングポート４０ｂを、本明細書による麻酔からの覚醒装置１０に沿ったあらゆる位置（例えば、対象者Ｉに近接した位置、フィルタ２０と再呼吸部材３０との間の位置、Ｙ型コネクタに近接した位置等）に含むことも本発明の範囲に含まれる。例えば、ガスサンプリングポート４０a，４０bが使用されているときには、これらは、呼吸回路５０の端部又は長さ方向に沿って配置される構造とされた嵌め合い部材又はこれらと連通している吸気リム５２若しくは呼気リム５４のような（例えば、約５０ｍｌ／分乃至約２５０ｍｌ／分の速度でのガスサンプリングを補助するための）一般的な構造であっても良い。
【００３３】
図２乃至８Bを参照すると、本発明の教示を組み入れている麻酔からの覚醒装置の特別な例が示されている。
図２に示されている麻酔からの覚醒装置の実施形態１０’は、フィルタ２０とＹ型コネクタ６０との間の２つの位置３４’及び３５’において呼吸回路５０と連通している呼吸導管３１’の一部分を含んでいる再呼吸部材３０’を含んでいる。再呼吸導管３１’は、当該技術において公知の方法によって、（例えば、ひだ等によって）、体積が調節可能である部分３２’を含んでいても良い。導管３１’内への及び当該導管からのガスの流れを制御するために、呼吸回路５０又は再呼吸導管３１’に沿って、１以上の弁３６’、流量制限器３７’又はこれらの組み合わせを配置しても良い。
【００３４】
図３に示されている麻酔からの覚醒装置のもう一つ別の実施形態１０”は、呼吸回路５０とではなくフィルタ２０”と直に連通している再呼吸部材３０”を含んでいる。図示されているように、再呼吸部材３０”は、ループ状の導管３１”としても良い。導管３１”の一端又は両端３８”及び３９”は、対象者Ｉの位置に対して麻酔薬フィルタ部材２８の末端側の位置（図１）（例えば、麻酔薬フィルタ部材２８と末端ポート２６との間）に設けられたフィルタ２０”と連通して、ガスが導管３１”と連通する前及び／又は後に濾過されるようにすることができる。再呼吸部材３０’（図２）と同様に、再呼吸部材３０”は体積調節可能な部分３２”を含んでいても良い。
【００３５】
図４は、麻酔からの覚醒装置のもう一つ別の実施形態１０”’を示しており、当該実施形態においては、フィルタ２０”’は、対象者Ｉが息を吐き出すときに、少なくとも幾らかの二酸化炭素富化ガスが集められるデッドスペース体積３０”’を提供するような構造とされている。図示されているように、デッドスペース体積３０”’は、麻酔薬フィルタ部材２８の末端側に配置されていて、その中に集まった吐き出されたガスがその中を流れるときに濾過され、その後、そこから引き出されるとき（例えば、対象者Ｉ（図１）が引き続いて吸い込むとき）に濾過されるようになされている。
【００３６】
本発明による教示を組み入れている麻酔からの覚醒装置の更に別の実施形態１０””が図５に示されている。麻酔からの覚醒装置１０””は、図４に示され且つ図４に関して説明された麻酔からの覚醒装置１０”’と良く似ている。麻酔からの覚醒装置１０””と麻酔からの覚醒装置１０”’との主要な差異は、フィルタ２０””の本体２２””によって少なくとも部分的に規定されているフィルタ２０””のデッドスペースの体積３０””が、例えば、本体２０””が占める空間の量を、（例えば、図示されている摺動運動によって又は別の方法は当業者によって容易に明らかとなるであろう）広げるか又は狭くすることによって調節可能である。
【００３７】
図６乃至６Ｂは、呼吸回路５０に沿って配置されるような構造とされている麻酔からの覚醒装置１１０’を示している。麻酔からの覚醒装置１１０’の切換部材１０５’は、図１Ｂ
に関して上記されているように、呼吸回路５０に沿って配置されていて、ガスが麻酔からの覚醒装置１１０’内へ選択的に導かれるか又は麻酔からの覚醒装置１１０’を選択的に迂回するようになされている。麻酔からの覚醒装置１１０’のハウジング１１１’は、基端の穴１１２’と末端の穴１１４’とを含むと共にフィルタ１２０’と再呼吸部材１３０’とを含んでいる。再呼吸部材１３０’は、二酸化炭素ガスを保持するのに十分な長さのコンパクトで幾分螺旋状の経路を含んでいるものとして示されている。
【００３８】
切換部材１０５’は、図６乃至６Bに示されているタイプの回転可能な弁を含んでいても良く、これは、ガスが流れる方向を制御する羽根１０６’を含んでいる。代替的に、切換部材１０５’は、摺動切換部材、膜又は如何なる他の適当な切換機構又は弁機構を含んでいても良い。
【００３９】
切換部材１０５’が図６に示されている第一の位置にあるときに、ガスは、呼吸回路５０を介して直接流れ且つ実質的に妨害されず、従って、麻酔からの覚醒装置１１０’を迂回する。切換部材１０５’が図６Ａ及び６Ｂに示されている第二の位置にあるときに、これは、呼吸回路５０内のガスの流れを制限して、呼吸ガスが麻酔からの覚醒装置１１０’内へ流れ且つその中を通過するようにさせる。
【００４０】
更に、ガスが麻酔からの覚醒装置１１０’内を流れる方向を制御するために、迂回導管１０１’及び一対の一方向弁１０２’，１０３’又はその他の選択的な流量制限器１００’が、ハウジング１１１’内に配置されても良い。図示された例においては、迂回導管１０１’と一方向弁１０２’，１０３’とは、吐き出されたガスがフィルタ１２０’内へ流れ込むのを阻止し且つ吸い込まれたガスをフィルタ１２０’内に流れさせる構造で、フィルタ１２０’の基端側に配置されている。
【００４１】
図６Ａに示されているように、対象者が矢印によって示されているように息を吐き出すと、一方向弁１０３’が開いて、吐き出されたガスが迂回導管１０１’内を流れるようにさせ、従って、吐き出されたガスがフィルタ１２０’内へ流れ込むのを阻止する。吐き出されたガスは、迂回導管１０１’を介して再呼吸部材１３０’内へ入る。吐き出されたガスの体積は再呼吸部材１３０’の体積を超えるので、余分な吐き出されたガスが、再呼吸部材１３０’及び末端の穴１１４’を介して麻酔からの覚醒装置１１０’のハウジング１１１’から流れ出す。
【００４２】
図６Ｂに示されているように、対象者が息を吸い込むと、一方向弁１０３’は閉止位置へ引き込まれる。負圧によってガスが引き込まれ、呼吸回路５０の末端部分から末端の穴１１４’を介してハウジング１１１’内へ及び再呼吸部材内へ且つ再呼吸部材に沿って及びフィルタ１２０’内を通り、ハウジング１１１’の基端の穴１１２’を介して呼吸回路５０内へ戻る。
【００４３】
図７に示されている麻酔からの覚醒装置の更に別の実施形態１１０”は、マスク１１５”を含んでいる。マスク１１５”は、対象者Ｉの口又は鼻と調和する構造とされている。麻酔からの覚醒装置１１０”は、マスク１１５”に加えて、基端穴１１２”及び末端穴１１４”を備えたハウジング１１１”をも含んでいる。ハウジング１１１”は、再呼吸部材１３０”と共にフィルタ１２０”をも含んでいる。
【００４４】
基端の穴１１２”は、マスク１１５”と連通し、従って、（例えば、対象者Ｉの口及び鼻のうちの一方又は両方を介して）従って対象者Ｉの気道と連通している。末端の穴１１４”は、図示されているように、対象者の周囲環境と連通する構造とされていても良い。
【００４５】
基端の穴１１２”及び末端の穴１１４”との間の流路に沿って配置されている再呼吸部材１３０”は、対象者Ｉによって吐き出される比較的二酸化炭素が富化されたガスの少なくとも一部分を保持する構造とされている。再呼吸部材１３０”は、如何なる構造であってもよいが、同心状に配置され且つ直列に接続された複数の通路１３０ａ”，１３０ｂ”，１３０ｃ”等を含むものとして図示されている。再呼吸部材１３０”は、フィルタ１２０”の末端と連通しており、フィルタ１２０”は、次いで、ハウジング１１１”の基端の穴１１２”従ってマスク１１５”と連通している。
【００４６】
麻酔からの覚醒装置１１０”は、任意的には、迂回導管１０１”のような選択的な流量制限器１００”と、フィルタ１２０”を通る呼吸ガスの流れを制御するように配列又は配置されている一対の一方向弁１０２”及び１０３”とを含んでいても良い。例えば、対象者が息を吐き出すと、弁１０２”は閉止位置へと付勢されて吐き出されたガスがフィルタ１２０”へ入るのが阻止される。更に、弁１０３”は、開放位置へと付勢されて吐き出されたガスが迂回導管１０１”内を流れ且つ再呼吸部材１３０”内へと直接流れさせる。再呼吸部材１３０”は固定されているので、吐き出された余分なガスは、末端の穴１１４”を介してハウジング１１１”を出て行くことができる。対象者Ｉが息を吸い込むと、弁１０３”は閉止位置へと付勢される一方で、弁１０２”は開放位置へと付勢される。この結果、ガスは、呼吸部材１３０”からフィルタ１２０”を介して引き込まれた後に、基端の穴１１２”を介してハウジング１１１”を出て対象者Ｉの気道内へ入る。
【００４７】
図８Ａ及び８Ｂに示されているもう一つ別の方法として、本発明の麻酔からの覚醒装置１０””’は、回路内に選択的な大きさのデッドスペースを提供するために、吸気リム５２””’と呼気リム５４””’との間に配置された１以上の迂回ライン５６””’を含んでいても良い。この実施形態においては、吸気リム５２””’と呼気リム５４””’とは、デッドスペースの一部として機能する。吸い込まれた或いは吐き出されたガスの流れを選択的に導くために、二方向迂回弁５８””’が各迂回ライン５６””’に沿って配置されている。
【００４８】
通常の又は基準ラインでの呼吸中においては、図８Ａに示されているように、二方向迂回弁５８””’は閉止位置にあり、陰線が付された領域によって表されている呼気ガスは、呼気リム５４””’内へ入るであろう。
【００４９】
呼吸を補助するためには、二方向迂回弁５８””’は図８Ｂに示されているように開かれ、吐き出されたガスが、吸気リム５２””’の一部分、呼気リム５４””’のほぼ全て及び迂回ライン５６””’（これらは全てデッドスペースとして機能する）を満たすのを可能にする。
【００５０】
デッドスペースは、吸気リム５２””’、呼気リム５４””’及び迂回ライン５６””’のうちの１以上の全て又は一部分のための拡張可能な導管を使用することによって、調整可能に拡張できるようにしても良い。
【００５１】
図９及び１０を参照すると、種々の麻酔薬供給装置と組み合わされた本発明の麻酔からの覚醒装置１０の使用方法が示されている。
図９には、循環装置７０が示されている。循環装置７０は、（例えば、円又はループ状の）連結された吸気リム５２’と呼気リム５４’とを含んでいる。吸気リム５２’と呼気リム５４’とは、Ｙ型コネクタ６０に結合されており、Ｙ型コネクタ６０は、次いで、呼吸回路５０’に結合されている。呼吸回路５０’は、公知の方法（例えば、挿管、マスク、鼻カニューレ等により）対象者Ｉ（図１）と適合する構造とされている。循環装置７０はまた、少なくとも２つの一方向弁７２及び７４をも含んでおり、これらの一方向弁は、各々、Ｙ型コネクタ６０の両側で、吸気リム５２’と呼気リム５４’とを横切って配置されている。一方向弁７２及び７４は、循環装置７０内を通るガスの流れを単一の方向に制限して、呼気ガスが吸気リム５２’内へ直接流れ込むのを防止し、対象者Ｉが呼気リム５４’から直接ガスを吸い込むのを阻止する。
【００５２】
循環装置７０の吸気リム５２’は、麻酔薬供給装置３００への結合を補助するポートのような少なくとも１つのガス入口７５、機械的換気又は循環装置７０の外部環境（例えば、手術室、病院内の病室等）から空気が流れ込むのを許容する呼吸バッグを含んでいる。公知のタイプの呼気逃がし弁のような呼気部材７６は、循環装置７０の呼気リム５４’に沿って配置されている。
【００５３】
図示されているように、呼気リム５４’と吸気リム５２’とは、石灰ソーダ缶のような二酸化炭素除去部材７７によって、Ｙ型コネクタ６０及び対象者Ｉに対して末端側である位置で結合されている。一方向弁７２は呼気ガスが吸気リム５２’内へ入るのを阻止するので、吐き出されたガスは、呼気リム５４’に沿って配置された迂回弁７８の配置に応じて、恐らくは、このようなガス内に存在する二酸化炭素の量を減じる二酸化炭素除去部材７７内へと導かれる。
【００５４】
更に、循環装置７０は、麻酔からの覚醒装置を含んでいる。本発明の教示を組み入れている如何なる麻酔からの覚醒装置も簡素化のために循環装置７０内に含まれても良いけれども、循環装置７０は、麻酔からの覚醒装置１０を含むものとして記載されている。図示されているように、麻酔からの覚醒装置１０は、迂回弁７８によって、循環装置７０の呼気リム５４’と選択的に連通し且つ二酸化炭素除去部材７７に平行に配置されている。循環装置７０内に存在するかも知れないデッドスペースの体積は、呼気部材７６が吐き出されたガスを呼気リム５４’内に留まらせるか否かに及び迂回弁７８が吐き出されたガスが二酸化炭素除去部材７７を迂回させるように配置されているか否かに依存する。更に、機械的な換気がガス入口７５に結合されているときには、循環装置７０内のデッドスペースの体積は、吸気リム５２’に対する麻酔からの覚醒装置１０の結合部８０へのガス入口７５の近さに依存する。
【００５５】
呼気部材７６が迂回弁７８の配置に応じて少なくとも部分的に閉じられている場合には、対象者Ｉによって吐き出され且つ呼気リム５４’内を流れるガスの少なくとも幾らかは、二酸化炭素除去部材７７から麻酔からの覚醒装置１０内へと迂回させても良い。迂回弁７８が２以上の位置に調整可能である場合には、吐き出されたガスは、麻酔からの覚醒装置１０と二酸化炭素除去部材７７との両方へ導くことができる。従って、麻酔からの覚醒装置１０及び二酸化炭素除去部材７７内へ導かれる呼気ガスの量を注意深く調整して、対象者Ｉによって再呼吸される二酸化炭素の量に対する制御を提供することが可能である。更に、迂回弁７８が、既に吐き出されたガスが麻酔からの覚醒装置１０内を流れるように配置されている場合には、麻酔からの覚醒装置１０内を通過するガス内に留まっている二酸化炭素の量は比較的多く、一方、このようなガス内に存在する麻酔薬の量はフィルタ２０によって減じられるであろう。
【００５６】
次に、対象者Ｉが吸気するか吸気させられると、吸い込まれたガスの少なくとも一部分（すなわち、呼吸回路５０’及び麻酔からの覚醒装置１０内に留まっているガス）は、既に吐き出された二酸化炭素富化ガスであろう。
【００５７】
循環装置７０自体は、対象者Ｉが既に吐き出された二酸化炭素富化ガスを再呼吸器するようにされるデッドスペースとして機能するので、循環装置７０内で使用されている麻酔からの覚醒装置１０は、再呼吸部材３０のような付加的なデッドスペースを欠いているかも知れない。
【００５８】
図１０を参照すると、本発明の教示を組み入れているベインの装置９０が示されている。ベインの装置９０は、直線呼吸回路５０”と、呼吸回路５０”の一端５１”に配置されている患者への接合部９２と、呼吸回路５０”の長さ方向に沿って配置され且つ公知のタイプの麻酔薬供給装置３００、機械的な換気装置、呼吸バッグ又はベインの装置９０の外部環境と連通する構造とされている新鮮なガスの入口９４とを含んでいる。更に、ベインの装置９０は、呼吸回路５０”と連通している麻酔からの覚醒装置１０を含んでいる。麻酔からの覚醒装置１０は、吐き出されたガスから除去される麻酔薬の量を最適化するために、従って、麻酔薬の影響から覚醒されつつあるときに対象者Ｉによって再呼吸される麻酔薬の量を最少化するために、患者との接合部９２に近接して配置されるのが好ましい。
【００５９】
図２乃至１０は、対象者が麻酔から覚醒しつつあるときに再呼吸するかも知れないデッドスペース体積を提供するのに有用である種々の装置を示しているけれども、対象者を麻酔作用から覚醒させる目的で機械的な呼吸回路内に二酸化炭素の再呼吸を含む他の如何なる方法、装置又はシステムもまた本発明の範囲に含まれる。
【００６０】
図１１を参照すると、再呼吸部材ではなく二酸化炭素注入部材１３０を含んでいる麻酔からの覚醒装置１１０が示されている。図示されているように、二酸化炭素注入部材１３０は呼吸導管１５０と連通している。麻酔からの覚醒装置１１０のフィルタ１２０もまた、対象者Ｉに近接して呼吸導管１５０に沿って配置されて（図１）、対象者Ｉによって吐き出されるガス内の麻酔薬の量を減らし、従って、呼吸導管１５０から引き込まれ且つ対象者Ｉによって再呼吸されるガス内にとどまったままの麻酔薬の量を最少化する。
【００６１】
図１を再度参照すると（図１１に関して示され且つ説明されている麻酔からの覚醒装置１１０も類似した方法で使用することができるけれども）、麻酔からの覚醒装置１０は、呼吸回路又は麻酔薬供給回路（例えば、図９及び１０に示されているもの）と連通状態に配置することによって使用することができる。現在のところ、フィルタ２０は対象者Ｉに近接して配置し、再呼吸部材３０はＹ型コネクタ６０に近接して配置するのが好ましい。麻酔からの回復システム１１０（図１１）の場合には、フィルタ１２０に対する二酸化炭素注入部材１３０の位置は関係がない。
【００６２】
デッドスペース（例えば、再呼吸部材３０内の体積の形態のデッドスペース）は、再呼吸を補助するために、所望体積のデッドスペースを提供するために麻酔手が調整することができる。例えば、デッドスペースの体積が少なくとも部分的に襞が付けられたチューブ内に配置されているときに、デッドスペースの体積は、襞が付けられたチューブの長さを伸ばすか又は縮めることによって調整することができる。もう一つ別の例として、固定体積のデッドスペースが存在するときに、又は体積調整可能なデッドスペースの場合においてさえ、デッドスペース内の二酸化炭素の量は、二酸化炭素が除去された再循環ガスを含んでいる“新鮮な”ガスの流れを調整することによって調整することができる。“新鮮な”ガスの流れが対象者Ｉの換気の流れよりも少ない場合には、デッドスペース内のガスの再呼吸が起こるかも知れない。
【００６３】
ひとたび麻酔からの覚醒装置１０が呼吸回路又は麻酔薬供給装置と連通状態に配置されると、対象者Ｉによって吐き出されたガスは、フィルタ２０内へ流れ且つその中を通り、フィルタ２０は、この吐き出されたガスから少なくとも幾らかの麻酔薬を除去する。濾過された吐き出されたガスの体積の少なくとも一部分は、デッドスペース（例えば、再呼吸部材３０）内へ入り且つその中に少なくとも一時的にとどまる。更に、対象者Ｉによって吐き出されるガス内の麻酔薬のレベルを低下させることによって、フィルタ２０は、対象者Ｉが息を吐き出すときに、環境内（例えば、手術室、回復室、外気等）へ逃げる麻酔薬のレベルを効率良く低下させることができる。
【００６４】
対象者Ｉが息を吸い込むと、吸い込まれたガスの少なくとも一部分がデッドスペース（例えば、再呼吸部材３０）から引き込まれ、如何なる他のガスも、空気から又は換気装置と連通している吸気ガスの発生源から引き出される。吸い込まれるガスは呼吸回路５０を介して引き込まれるので、これらのガスはフィルタ２０内を通過し、当該フィルタ２０内に残っている麻酔薬の少なくとも幾らかがそこから除去される。特に、殆どの麻酔システムにおいては、極めて高濃度の酸素（＞９０％）が使用される。従って、対象者Ｉは、同じガスを多数回呼吸し且つ依然として十分に酸素を送り込まれる。
【００６５】
現在のところ、吸い込まれた麻酔薬の作用から覚醒させるのに部分的な再呼吸プロセス（すなわち、患者によって吸い込まれたガスの一部分のみが予め吐き出され、一方、ガスの他の部分は“新鮮”である）が使用されるのが好ましい。これは、対象者Ｉが覚醒中に幾分かの酸素を必要とするからである。もちろん、全再呼吸プロセスの使用もまた本発明の範囲に含まれる。再呼吸がなされる方法は、対象者Ｉに十分な酸素を提供しつつ、所望の作用を提供するために変更し又は制御することができる。
【００６６】
もちろん、二酸化炭素又は酸素を測定するガスセンサー及びモニター２１０（例えば、公知のタイプの麻酔ガスモニター）を対象者Ｉの換気ガスを監視するために使用しても良い。呼吸流量センサー及びモニター２１２はまた、対象者Ｉの換気の流れを監視するために使用しても良い。ガス濃度は、当該技術において知られているガスセンサー及びモニター２１０並びに流量センサー及びモニター２１２と連通している処理装置２２０（例えば、コンピュータ処理装置又はコントローラ、論理回路の比較的小さなグループ等）によって測定することができる。二酸化炭素又は酸素のレベル（例えば、血液ガス成分、呼吸割合等）が不所望なレベルに達すると、デッドスペースの体積（例えば、再呼吸部材３０）又は再呼吸されたガスの体積を、他の吸い込まれたガス内の酸素又は二酸化炭素の濃度又は上記の組み合わせに対して調整がなされても良い。このような調整は、例えば、もちろん適当なプログラムの制御下で作動し且つ麻酔からの覚醒装置１０の１以上の換気装置及び弁（例えば、迂回弁７８（図９））と連通している処理装置２２０によって自動的になされても良い。別の方法として、デッドスペースの調整は、例えば、処理装置又は手動によって付与される指示に従って半自動的に行うことができる。
【００６７】
フィルタ２０と、本発明の麻酔からの覚醒装置において（例えば、再呼吸部材３０又は二酸化炭素注入部材１３０によって）対象者Ｉによって吸入される二酸化炭素の量を増すための部材とを組み合わせることにより、高いPaCO2レベルに維持しつつ対象者Ｉの換気量を増すことができる。換気の増量は、麻酔薬が血液から除去される速度、従って、対象者Ｉによって吐き出される麻酔薬の除去される速度を改良するので、高いPaCO2レベルは、血液流量レベル、従って、脳から麻酔薬が除去される速度を維持するか又は増大させる。
【００６８】
ここに提供された説明の多くは、全身麻酔からの覚醒に焦点を合わせているけれども、本発明の装置及び方法は、吸入された麻酔薬が全身麻酔作用を有しているか否かに拘わらず、あらゆるタイプの吸入された麻酔薬の作用から覚醒させるのに有用である。
【００６９】
上記の説明は、多くの特定事項を含んでいるけれども、これらは、本発明の範囲を制限するものと解釈されるべきではなく、単に、現在のところ好ましい実施形態の幾つかの例示を提供するものと考えられるべきものである。同様に、本発明の範囲から逸脱しない本発明の他の実施形態を案出することもできる。種々の実施形態による特徴は、組み合わせて採用しても良い。従って、本発明の範囲は、上記の説明によってではなく、むしろ、特許請求の範囲及びそれらの等価物によってのみ示され且つ制限されるものである。ここに記載された特許請求の範囲の意味及び範囲に含まれる全ての付加、削除及び改造が本願によって包含されるべきである。
【図面の簡単な説明】
【００７０】
図面においては、特に指示しない限り、付加的な数字が前に付されるか又はプライム符号若しくはその他の記号が続けられている同様の符号は、同じ又は類似の特性を有し得る類似した要素を表している。
【図１】図１は、本発明による麻酔からの覚醒装置の例を示しており、当該装置は、呼吸回路の少なくとも一部分と、麻酔から回復しつつある対象者によって吸入された二酸化炭素の濃度を高めるための部材と、呼吸回路に沿って配置された麻酔薬フィルタ及びＹ型コネクタとを含んでいる。
【図１Ａ】図１Ａは、図１に示されている麻酔からの覚醒装置の変形例を示している。
【図１Ｂ】図１Ｂは、図１に示されている麻酔からの覚醒装置の変形例を示している。
【図２】図２は、図１に示されている麻酔からの覚醒装置の例示的な実施形態を示しており、当該実施形態は、同じく呼吸回路に沿って配置されている麻酔薬フィルタとＹ型フィルタとの間の呼吸回路に沿って配置された再呼吸チューブを含んでいる。
【図３】図３は、図１の麻酔からの覚醒装置の別の例示的な実施形態の断面図であり、再呼吸チューブが麻酔薬フィルタハウジングから出て当該ハウジング内へと戻るように延びている。
【図４】図４は、本発明の麻酔からの覚醒装置の別の実施形態の断面図であり、当該装置においては、麻酔薬フィルタが、再呼吸を起こさせるような構造とされた付加的なデッドスペース体積を含んでいる。
【図５】図５は、本発明の教示を組み入れている麻酔からの覚醒装置の更に別の実施形態の断面図であり、当該装置においては、麻酔薬フィルタが、再呼吸を起こさせるための体積を調節することができるデッドスペースを含んでいる。
【図６】図６は、換気ガスの濾過を選択的に制御するための切換要素又は弁を含んでいる麻酔からの覚醒装置の別の例示的な実施形態の断面図である。
【図６Ａ】図６Ａは、換気ガスの濾過を選択的に制御するための切換要素又は弁を含んでいる麻酔からの覚醒装置の別の例示的な実施形態の断面図である。
【図６Ｂ】図６Ｂは、換気ガスの濾過を選択的に制御するための切換要素又は弁を含んでいる麻酔からの覚醒装置の別の例示的な実施形態の断面図である。
【図７】図７は、マスクを含んでいる麻酔からの覚醒装置の別の例示的な実施形態の断面図である。
【図８Ａ】図８Ａは、本発明の麻酔からの覚醒装置の更に別の実施形態の概略図であり、当該装置においては、１以上の導管及び弁が、Ｙ型コネクタから枝分かれしている吸気リムと呼気リムとの間に配置されている。
【図８Ｂ】図８Ｂは、本発明の麻酔からの覚醒装置の更に別の実施形態の概略図であり、当該装置においては、１以上の導管及び弁が、Ｙ型コネクタから枝分かれしている吸気リムと呼気リムとの間に配置されている。
【図９】図９は、一般的な循環装置に沿った本発明による麻酔からの覚醒装置の使用方法を示している図である。
【図１０】図１０は、一般的なベインの装置を備えた本発明による麻酔からの覚醒装置の使用方法を示している図である。
【図１１】図１１は、対象者によって吸入される二酸化炭素の濃度を高める部材が二酸化炭素注入装置を含んでいる図１に示されているタイプの麻酔からの覚醒装置の更に別の実施形態の図面である。
【図１】
0005410746.tif 000002
【図１Ａ】
0005410746.tif 000003
【図１Ｂ】
0005410746.tif 000004
【図２】
0005410746.tif 000005
【図３】
0005410746.tif 000006
【図４】
0005410746.tif 000007
【図５】
0005410746.tif 000008
【図６】
0005410746.tif 000009
【図６Ａ】
0005410746.tif 000010
【図６Ｂ】
0005410746.tif 000011
【図７】
0005410746.tif 000012
【図８Ａ】
0005410746.tif 000013
【図８Ｂ】
0005410746.tif 000014
【図９】
0005410746.tif 000015
【図１０】
0005410746.tif 000016
【図１１】
0005410746.tif 000017